(57)【特許請求の範囲】
【請求項１】
所定の装置の上面に当該装置を吊り上げるためにボルト留めされる吊上部材を取り外したボルト穴にボルト留めして前記装置の上面に固定するベースと、
前記ベースに長さ方向を上下方向として取り付けられる支柱と、
前記支柱に設けられ親綱を当該支柱に取り付ける親綱取付部材とを備えることを特徴とする親綱取付用治具。
【請求項２】
前記ベースには、前記支柱を当該ベースに取り付けるための支柱取付部材が前記装置の上面方向の複数個所にそれぞれ設けられ、前記支柱の取り付け位置を前記複数個所の中から選択することができることを特徴とする請求項１に記載の親綱取付用治具。
【請求項３】
前記親綱取付部材は、前記装置から取り外して前記支柱に取り付けた前記吊上部材であることを特徴とする請求項１又は２に記載の親綱取付用治具。
【請求項４】
前記支柱は、面方向の角度が互いに異なる２つの鋼板にそれぞれ前記親綱取付部材の取り付け用の穴が形成されたＬ字鋼であることを特徴とする請求項１〜３のいずれかの一項に記載の親綱取付用治具。
【請求項５】
所定の装置と、
前記装置の上面に当該装置を吊り上げるためにボルト留めされる吊上部材を取り外したボルト穴にボルト留めして前記装置の上面に固定されているベースと、
前記ベースに長さ方向を上下方向として取り付けられている支柱と、
前記支柱に設けられ親綱を当該支柱に取り付けられている親綱取付部材とを備えることを特徴とする治具付装置。
【請求項６】
前記ベースには、前記支柱を当該ベースに取り付けるための支柱取付部材が前記装置の上面方向の複数個所にそれぞれ設けられ、前記支柱の取り付け位置を前記複数個所の中から選択することができることを特徴とする請求項５に記載の治具付装置。
【請求項７】
前記親綱取付部材は、前記装置から取り外して前記支柱に取り付けた前記吊上部材であることを特徴とする請求項５又は６に記載の治具付装置。
【請求項８】
前記支柱は、面方向の角度が互いに異なる２つの鋼板にそれぞれ前記親綱取付部材の取り付け用の穴が形成されたＬ字鋼であることを特徴とする請求項５〜７のいずれかの一項に記載の治具付装置。
【請求項９】
前記装置は、筺体に収納された配電盤であることを特徴とする請求項５〜８のいずれかの一項に記載の治具付装置。
【請求項１０】
所定の装置の上面に当該装置を吊り上げるためにボルト留めされる吊上部材を取り外す第１工程と、
前記第１工程後に、吊上部材を取り外した後の前記上面のボルト穴にベースをボルト留めして前記装置の上面に固定する第２工程と、
前記第２工程後に、前記ベースに長さ方向を上下方向として支柱を取り付ける第３工程と、
前記第３工程後に、前記支柱に設けられた親綱取付部材に親綱を取り付ける第４工程とを備えることを特徴とする治具取付方法。
【発明の詳細な説明】
【技術分野】
【０００１】
本発明は、親綱取付用治具、治具付装置、及び治具取付方法に関する。
【背景技術】
【０００２】
本技術分野の背景技術として、特開２０１１−１５２１８８号公報（特許文献１）がある。この公報には、「長尺の鋼材を仮置きするために山積みにしたはい山２０に積んである鋼材と同種の鋼材からなる治具土台２と、治具土台２の両端部に設けた親綱支柱３と、親綱支柱３間に治具土台２と平行に掛け渡した親綱鋼材４とからなり、親綱鋼材４に、はい山２０上で作業する作業者の安全帯を繋ぎ、はい山２０上で移動しながら作業をすることができる移動式墜落防止治具１である。移動式墜落防止治具１の治具土台２を、はい山２０上に積んである鋼材と同種の鋼材にすることで、はい山２０を構成する鋼材をクレーン等で搬送し、積み上げるタイミングで同時に同様の手段で移動させることができ、重量物なので安定性を確保することができる。」と記載されている（要約参照）。
【０００３】
また、背景技術として、特開平２００９−２２８２０９号公報（特許文献２）がある。この公報には、「支柱本体１４と、該支柱本体１４に回転可能に連結された少なくとも２本の斜めサポート１５Ａ、１５Ｂと、前記支柱本体１４及び斜めサポート１５Ａ、１５Ｂの下部に設けられ、かつ、折版屋根４の上面に対して取外し可能に取付ける屋根取付手段１６Ａ、１６Ｂ、１６Ｃと、前記支柱本体１４の上部に設けられた親綱取付手段１７とを有する折版屋根用の親綱張設支柱及びこれを用いた親綱張設装置。」と記載されている（要約参照）。
【０００４】
さらに、背景技術として、特開平２００７−１９１８８２号公報（特許文献３）がある。この公報には、「親綱取付装置の代表的な構成は、躯体の角型断面の柱１１に固定するための柱包囲部Ａを有し、該柱包囲部は、前記柱の１対の対角のコーナーを片側から包囲するＬ字形状の１対の腕部と、前記柱の対角のコーナーを包囲するように前記１対の腕部を回動可能に軸支する回動軸と、前記１対の腕部を回動して前記柱を挟み込んだ状態に固定する固定手段と、親綱１３を取り付ける親綱取付部と、を有することを特徴とする。」と記載されている（要約参照）。
【先行技術文献】
【特許文献】
【０００５】
【特許文献１】特開２０１１−１５２１８８号公報
【特許文献２】特開２００９−２２８２０９号公報
【特許文献３】特開２００７−１９１８８２号公報
【発明の概要】
【発明が解決しようとする課題】
【０００６】
２ｍを超えるような高さの配電盤などの装置上でメインテナンスなどの作業を行う際には、親綱を設置し、作業者が安全帯を身に付けて作業する必要がある。この場合には、当該配電盤などの装置の両側に足場を組んで、支柱を立て、親綱を取り付けることになる。
しかし、足場を組むためには、事前調査を要し、足場を組む作業時間も必要である。また、配電盤などの装置の側部に足場を組むので、この足場が当該装置の側部で作業を行う場合の邪魔になることがある。
【０００７】
そこで、本発明は、簡易に、しかも、装置で作業を行う場合の邪魔になることなく、親綱を設置することができる親綱取付用治具、治具付装置、及び治具取付方法を提供することを課題とする。
【課題を解決するための手段】
【０００８】
上記課題を解決するため、本発明の一形態は、所定の装置の上面に当該装置を吊り上げるためにボルト留めされる吊上部材を取り外し、吊上部材を取り外した後の前記上面のボルト穴にベースをボルト留めして前記装置の上面に固定して、前記ベースに長さ方向を上下方向として支柱を取り付け、支柱に設けられた親綱取付部材に親綱を取り付けるものである。
【発明の効果】
【０００９】
本発明によれば、簡易に、しかも、装置で作業を行う場合の邪魔になることなく、親綱を設置することができる親綱取付用治具、治具付装置、及び治具取付方法を提供することができる。
上記した以外の課題、構成及び効果は、以下の実施形態の説明により明らかにされる。
【図面の簡単な説明】
【００１０】
【図１】図１は、本発明の一実施例の親綱取付用治具の正面図である。
【図２】図２は、本発明の一実施例の親綱取付用治具を構成するベースの上面図（ａ）、正面図（ｂ）、（ａ）のＡ‐Ａ断面図（ｃ）である。
【図３】図３は、本発明の一実施例の親綱取付用治具を構成する支柱の正面図（ａ）、右側面図（ｂ）、上面図（ｃ）である。
【図４】図４は、本発明の一実施例の親綱取付用治具を組み立てた状態の上面図である。
【図５】図５は、本発明の一実施例の親綱取付用治具を組み立てた状態の側面図である。
【図６】図６は、本発明の一実施例の治具取付方法における第１工程を説明する説明図である。
【図７】図７は、本発明の一実施例の治具取付方法における第２工程を説明する説明図である。
【図８】図８は、本発明の一実施例の治具取付方法における第３工程を説明する説明図である。
【図９】図９は、本発明の一実施例の治具取付方法における第４工程を説明する説明図である。
【図１０】図１０は、本発明の一実施例の治具取付方法により広い範囲で親綱取付用治具を取り付ける例の説明図である。
【図１１】図１１は、本発明の一実施例に対する比較例を説明する説明図である。
【発明を実施するための形態】
【００１１】
以下、本発明の実施例について図面を用いて説明する。
図１１は、本実施例に対する比較例を説明する説明図である。同図に示すように、２ｍを超えるような高さの装置、この例で筺体１１１に収納された配電盤１００の上面１０１の上で配電盤１００のメインテナンスなどの作業を行う際には、親綱１２１を設置し、作業者２００が親綱１２１に取り付けられた安全帯１２２を身に付けて作業する必要がある。この場合には、当該配電盤１００の両側に足場１２３を組んで、支柱１２４を立て、親綱１２１を取り付けることになる。
しかし、足場１２３を組むためには、事前調査を要し、足場１２３を組む作業時間も必要である。また、配電盤１００の側部に足場１２３を組むので、この足場１２３が当該配電盤１００の側部で別の作業者２００が同時に作業を行う場合の邪魔になることがある。
【００１２】
そこで、以下では、このような不具合を解消する本実施例について説明する。
図１は、本実施例の親綱取付用治具１の正面図である。図２は、親綱取付用治具１を構成するベース２の上面図（ａ）、正面図（ｂ）、（ａ）のＡ‐Ａ断面図（ｃ）である。図３は、親綱取付用治具１を構成する支柱３の正面図（ａ）、右側面図（ｂ）、上面図（ｃ）である。
【００１３】
ベース２は、所定の装置、この例（図６参照）で筺体に収納された配電盤１００の上面１０１に当該配電盤１００を吊り上げるためにボルト留めされる吊上部材１０２を取り外したボルト穴１０３（以上、図６参照）にボルト留めして配電盤１００の上面１０１に固定するための装置である。ベース２は、ボルトを通して配電盤１００の上面１０１にボルト留めするための複数の孔２１が形成されたＬ字鋼などの金具などから構成される。
【００１４】
ベース２には、支柱３を当該ベース２に取り付けるための支柱取付部材４が、配電盤１００の上面１０１方向（図７参照）の複数個所、具体的には、配電盤１００の上面１０１に取り付けられるベース２の長手方向に沿って複数個所に設けられている。これにより支柱３の取り付け位置を当該複数個所の中から選択することができる。支柱取付部材４は、支柱３の一端側を差し込むための差込口４１を備え、支柱３をボルト留めするための穴４２を有している。
【００１５】
支柱３は、例えばＬ字鋼で構成され、当該Ｌ字鋼の面方向の角度が互いに異なる２つの鋼板３１と３２にそれぞれ親綱取付部材５（図４、図５、図８参照）の取り付け用の穴３３が長手方向に並んで複数個形成されている。また、支柱３は、一端側を差込口４１に差し込んでボルト留めすることにより、長さ方向を上下方向としてベース２に取り付けられる。
親綱取付部材５（図４、図５、図８参照）は、支柱３に設けられ親綱６を当該支柱３に取り付けるための金具などである。具体的には、支柱３の穴３３に親綱取付部材５をボルト留めして取り付ける。
【００１６】
図４の上面図は、ベース２に支柱３を取り付け、向かい合う２本の支柱３の間に親綱取付部材５で親綱６をかけ渡した親綱取付用治具１を示している。
また、図５の側面図に示すように、取り外し済みの前記の吊上部材１０２を親綱取付部材５として支柱３に取り付けて用いてもよい。なお、図４、図５において、各部を締結するボルトは図示を省略している（詳細は後述）。
【００１７】
次に、以上のような構成の親綱取付用治具１を配電盤１００に取り付ける治具取付方法について説明する。
（１）第１工程
まず、図６に示すように、作業者２００は、配電盤１００の上面１０１に当該配電盤１００を吊り上げるためにボルト留めされている吊上部材１０２を取り外す。吊上部材１０２を取り外した後には、配電盤１００の上面１０１にボルト穴１０３が露出する。
（２）第２工程
第１工程後に、図７に示すように、作業者２００は、吊上部材１０２を取り外した後の上面１０１のボルト穴１０３にベース２をボルト１５１でボルト留めして、当該ベース２を配電盤１００の上面１０１に固定する。
【００１８】
（３）第３工程
第２工程後に、図８に示すように、作業者２００は、ベース２の支柱取付部材４に、長さ方向を上下方向として支柱３を取り付ける。すなわち、支柱取付部材４の差込口４１に支柱３の一端部を差し込んで、支柱取付部材４の穴４２及び支柱３の穴３３にボルト１５２を挿入して支柱取付部材４と支柱３とをボルト留めする。
また、作業者２００は、前記のように、親綱取付部材５（本例では、第１工程で取り外した吊上部材１０２を流用）を支柱３に取り付ける。
【００１９】
（４）第４工程
第３工程後に、図９に示すように、作業者２００は、支柱３に設けられた親綱取付部材５に親綱６を取り付ける。そして、作業者２００は、安全帯１２２の一端を親綱６に連結し、他端を体に取り付けることにより、配電盤１００上で安全に作業を行うことが可能となる。
このように、配電盤１００に親綱取付用治具１を取り付けることで、全体で治具付装置１０が完成する。
【００２０】
なお、図９の例では、配電盤１００上の一部の領域に親綱６を張っているだけであるが、図１０に示すように、多数台の親綱取付用治具１を配電盤１００の上面１０１の広い箇所に設置し、親綱６を張り巡らせて、作業者２００が配電盤１００上の広い範囲で作業できるようにしてもよい。
【００２１】
以上説明した本実施例によれば、図１１の比較例のように足場１２３を組むことなく、配電盤１００上に親綱６を張ることができる。よって、足場１２３を組むための事前調査は不要であり、足場１２３を組む作業時間も不要である。また、足場１２３が、当該配電盤１００の側部で別の作業者２００が同時に作業を行う場合の邪魔になることもない。よって、本実施例によれば、簡易に、しかも、配電盤１００でメインテナンス作業などを行う場合の邪魔になることなく、親綱６を設置することができる親綱取付用治具１、治具付装置１０、及び治具取付方法を提供することができる。
【００２２】
また、ベース２の長手方向の複数個所に支柱取付部材４が設けられている。そのため、本実施例によれば、支柱３の取り付け位置を複数個所の中から選択することができる。
さらに、親綱取付部材５として配電盤１００から取り外した吊上部材１０２を流用する場合は（図５、図８）、親綱取付用治具１の部品点数を削減し、製造コストを低減することができる。
【００２３】
そのうえ、支柱３は、面方向の角度が互いに異なる２つの鋼板３１と３２にそれぞれ親綱取付部材５の取り付け用の穴３３が形成されたＬ字鋼である。そのため、支柱３の軽量化を実現して、作業を行いやすくすることができ、しかも、親綱取付部材５を向ける方向のバリエーションを増やして、様々な方向に親綱６を張るのが容易になる。
【００２４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることも可能である。
【符号の説明】
【００２５】
１      親綱取付用治具
２      ベース
３      支柱
４      支柱取付部材
５      親綱取付部材
６      親綱
１０    治具付装置
３１，３２  鋼板
３３    穴
１００  配電盤（装置）
１０１  上面
１０２  吊上部材
１０３  ボルト穴
【要約】
【課題】簡易に、しかも、装置で作業を行う場合の邪魔になることなく、親綱を設置できるようにする。
【解決手段】配電盤１００の上面１０１に当該配電盤１００を吊り上げるためにボルト留めされている吊上部材１０２を取り外す。次に、吊上部材１０２を取り外した後の上面１０１のボルト穴にベース２をボルト１５１でボルト留めして、当該ベース２を配電盤１００の上面１０１に固定する。次に、ベース２の支柱取付部材４に、長さ方向を上下方向として支柱３を取り付ける。次に、親綱取付部材５（吊上部材１０２を流用）を支柱３に取り付ける。最後に、支柱３に設けられた親綱取付部材５に親綱６を取り付ける。
【選択図】図９【図１】
0005690442.tif 000002
【図２】
0005690442.tif 000003
【図３】
0005690442.tif 000004
【図４】
0005690442.tif 000005
【図５】
0005690442.tif 000006
【図６】
0005690442.tif 000007
【図７】
0005690442.tif 000008
【図８】
0005690442.tif 000009
【図９】
0005690442.tif 000010
【図１０】
0005690442.tif 000011
【図１１】
0005690442.tif 000012